(57)【要約】【課題】ナット、ボルト等の固着具をスパナで締め付けあるいは取り外すために一方向に回動するに際し、固着具とスパナとを離間させることなく固着具を連続して回動させるためのスパナおよび固着具の回動方法を提供する。【解決手段】柄２の一端に突設し、内面を半円形状とした固定あご３と、この固定あご３に対して移動可能とした可動あご４とによりナット、ボルト等の固着具１２を挟持して回動するに際し、固定あご３と可動あご４との基部には掛止武部７、８を形成するとともに固定あご３と掛止部７および可動あご４と掛止部８間に逃げ溝９、１０を形成し、かつ、固定あご３の長さＬ１は固着具１２の各辺の横幅Ｌ２よりも短く形成し、固着具１２を締め付けあるいは取り外しのために一方向に回転させるとともに締め付け位置あるいは取り外し位置で固定状態の固着具１２に対してスパナ１は逆方向に空転可能としてある。【選択図】    図１
2004255473.tif 000002
【特許請求の範囲】
【請求項１】
柄２の一端に突設し、挟持面を半円形状とした固定あご３に対して可動あご４を往復移動可能に設け、固定あご３と可動あご４との基部には掛止部７、８を形成するとともに固定あご３と掛止部７および可動あご４と掛止部８との間には逃げ溝９、１０を形成し、両あご３、４間にナット、ボルト等の固着具１２を挟持して一方向に回動させるに際し、固定あご３の長さＬ１は、固着具１２の各辺の横幅Ｌ２よりも短く形成したことを特徴とするスパナ。
【請求項２】
柄２の一端に突設し、挟持面を半円形状とした固定あご３に対して可動あご４を往復移動可能に設け、固定あご３と可動あご４との基部には掛止部７、８を形成するとともに固定あご３と掛止部７および可動あご４と掛止部８との間には逃げ溝９、１０を形成し、両あご３、４間にナット、ボルト等の固着具１２を挟持して一方向に回動させるに際し、固着具１２の各辺の横幅Ｌ２よりも固定あご３の長さＬ１を短く形成して固着具１２を一方向に回動させるとともに固定状態の固着具１２に対してスパナ１は逆方向に空転可能としたことを特徴とする固着具の回動方法。
【発明の詳細な説明】
【０００１】
【発明が属する技術分野】
本発明は、スパナおよびこのスパナを使用したナットやボルト等の締め付け、取り外しのための回動方法に関するものであり、特に、スパナとナットやボルトとの嵌合状態を外すことなく連続して回動作業を可能としたスパナと固着具の回動方法に関するものである。
【０００２】
【従来の技術】
六角形状のナットや六角形状の頭部を有するボルト等（以下、六角ナットや六角ボルト等を総称して固着具と称する）は、締め付け作業や取り外しあるいは緩める作業を行う場合にはスパナが使用されている。
【０００３】
図５は、従来使用されている開口スパナの一例を示すものであり、このスパナＡは、柄ａの一端に一対の固定あごｂを対称に有する挟持部ｃを連設したものであり、固定あごｂの間は前記した固着具Ｂを嵌め込む挟持空間ｄを有する開口部を形成するとともに両固定あごｂの対向面は挟持面ｅとしてある。
【０００４】
このようなスパナＡで固着具Ｂを締め付けるには、一般的には手で固着具Ｂをある程度締め付けた後、固定あごｂ間に形成した開口部ｄ内に固着具Ｂを嵌め入れ、柄ａを矢印の方向（時計方向）に回せばよく、挟持面ｅと固着具Ｂの角部とが接触して固着具Ｂは締め付け方向に回動する。
【０００５】
そして、ある角度回したら、挟持部ｃを固着具Ｂから外し、柄ａを最初の位置に戻して開口部ｄ内に固着具Ｂを嵌め入れ、締め付け方向に回せばよく、この作業を繰り返し行って固着具Ｂを締め付けていた。固着具Ｂを取り外しあるいは緩める場合には、同じ作業を繰り返して固着具Ｂを逆に回せばよい。通常、固定あごｂは、固着具Ｂに対し横方向から挿し込むものであり、挟持面ｅ間の幅は、固着具Ｂの幅よりもわずかに広くなっており固着具Ｂと挟持面ｅ間には遊びを生ずるゆとりがある。
【０００６】
また、上記する開口スパナの他に図６に示すモンキースパナが使用されている。このモンキースパナＡは、色々な大きさの固着具Ｂに対応できるものであり、柄ａの一端に固定あごｆを突設するとともに固定あごｆに対して可動あごｇを水平方向に往復移動可能としたものである。このため、モンキースパナＡに内蔵したウォームｈと、可動あごｇの下部に一体に設けてモンキースパナＡ内に挿通したラックｉとを噛み合わせて連結し、ウォームｈを垂直方向へ回動させることによりラックｉは水平左右方向に移動するので、可動あごｇも同時に移動し、固定あごｆと可動あごｇとで形成する開口した挟持空間ｄを広げたり、狭めたり調節できるようになっている。尚、固定あごｆと可動あごｇとの挟持面間には固着具Ｂをぴったりと締め付けることなく、固着具Ｂが出入りできる程度の遊び隙間を形成しておくのが通常である。
【０００７】
【発明が解決しようとする課題】
しかし、開口スパナＡは、開口部ｄの挟持空間の大きさが一定であるので、この挟持空間の大きさにあった固着具Ｂにしか使用できないものであった。しかも、最後まで締め付けあるいは取り外し作業を行うには、スパナＡをある角度回すと固定具Ｂから外し、スパナＡを元の位置に戻して固定具Ｂを嵌め込んで締め込み方向に回さなければならず、固定具Ｂを締め付けあるいは取り外すためには手数を要するものであった。
【０００８】
また、モンキースパナＡの場合も開口スパナと同じく、固着具Ｂを締め付け方向へ回動させた後、更に締め付けるには、固定あごｆと可動あごｇとの挟持空間を固着具Ｂから引きぬき、柄ａを最初の位置に戻して挟持空間内に固着具Ｂを嵌め入れなければならず、締め付けや取り外しの作業に手数を要するものであった。総じて、開口スパナやモンキースパナでは、挟持空間内に固着具を嵌め込んだ状態で連続して締め付け作業や取り外し作業等を行うラチェット機能は有しないものであった。
【０００９】
本発明は、上記する従来の開口スパナやモンキースパナの種々の問題点に鑑み、モンキースパナを改良してラチェット機能を有するスパナを提供するものであり、挟持空間内に固着具を嵌め込んだ状態で締め付けや取り外しを行うとともにそのままスパナを逆方向に空転させ、締め付けあるいは取り外し作業を連続して行うことの出来るスパナと固着具の回動方法を提供するものである。
【００１０】
【課題を解決するための手段】
上記の目的を達成するために本発明スパナは、柄２の一端に突設し、挟持面を半円形状とした固定あご３に対して可動あご４を往復移動可能に設け、固定あご３と可動あご４との基部には掛止部７、８を形成するとともに固定あご３と掛止部７および可動あご４と掛止部８との間には逃げ溝９、１０を形成し、両あご３、４間にナット、ボルト等の固着具１２を挟持して一方向に回動させるに際し、固定あご３の長さＬ１は、固着具１２の各辺の横幅Ｌ２よりも短く形成したものである。
【００１１】
また、本発明固着具の回動方法は、柄２の一端に突設し、挟持面を半円形状とした固定あご３に対して可動あご４を往復移動可能に設け、固定あご３と可動あご４との基部には掛止部７、８を形成するとともに固定あご３と掛止部７および可動あご４と掛止部８との間には逃げ溝９、１０を形成し、両あご３、４間にナット、ボルト等の固着具１２を挟持して一方向に回動させるに際し、固着具１２の各辺の横幅Ｌ２よりも固定あご３の長さＬ１を短く形成して固着具１２を一方向に回動させるとともに固定状態の固着具１２に対してスパナ１は逆方向に空転可能としたものである。
【００１２】
【発明の実施の形態】
以下、図面に従って本発明の実施の形態を詳細に説明する。
図１は、本発明スパナの一実施形態を示すものであり、スパナ１は、柄２の一端に固定あご３を突設するとともに固定あご３に対して可動あご４を水平方向へ往復移動可能としたものである。このため、スパナ１内にはウォーム５を回動可能に内蔵するとともに可動あご４にはウォーム５と噛み合うラック６が一体に連結してある。このような基本的構成は、従来のモンキースパナと同じである。
【００１３】
本発明においては、固定あご３の長さを可動あご４の長さよりも短く形成するとともに固定あご３の内面（挟持面）は半円形状に形成し、かつ、固定あご３の基部と可動あご４の基部には掛止部７、８を連設するとともに固定あご３と掛止部７および可動あご４と掛止部８との間には逃げ溝９、１０を形成したことに特徴を有している。
【００１４】
固定あご３と可動あご４とで形成する開口した挟持空間１１内に固着具１２を嵌め込んだ時、固定あご３と可動あご４の内面（挟持面）は固着具１２の側面に位置する辺に接し、また、掛止部７、８も固着具１２の下辺に接することになる。尚、固定あご３と固着具１２との関係において、固定あご３の長さＬ１は、固着具１２の各辺の横幅Ｌ２よりも短くなっており、Ｌ２に対してＬ１は１／３〜１／２位であることが望ましい。
【００１５】
本発明は上記の構成であり、次に、固着具１２を締め付ける場合について説明する。
従来と同じく、ウォーム５を回動操作してラック６により可動あご４を固定あご３から離し、挟持空間１１内に固着具１２を嵌め入れ、可動あご４を前進させて固着具１２を固定あご３との間に締め付ける。この場合、きつく締め付けることなく、従来と同様、固定あご３と可動あご４との間に固着具１２が出入りできる程度の遊び隙間を設けておく。ただし、この遊び隙間は、少なくとも固着具１２を固定あご３と可動あご４間に挟んで締め付け方向に回すことのできる範囲内であり、固着具１２を目的の方向に回動する際、固定あご３と可動あご４とが空転することがあってはならない。
【００１６】
図２に示すように、固定あご３と可動あご４との挟持空間１１内に固着具１２を挟持した状態でスパナ１をＸ矢印方向（締め付け方向）に回動させれば、固定あご３と可動あご４とは固着具１２の側面の角部１３、１４に近い辺に接し、また、掛止部７、８はそれぞれ固着具１２の下辺の角部１５、１６に近い辺に接するので、四辺あるいは四点接触で固着具１２は締め付け方向に回されることになる。
【００１７】
ある角度、固着具１２を回動させた後、固定あご３と可動あご４の間に固着具１２を挟んだ状態でスパナ１を前記とは反対のＹ矢印方向に回せば、図３に示すように、固定あご３は接していた固着具１２の角部１３と可動あご４が接していた角部１４は、瞬間的に逃げ溝９、１０内に入り、固定あご３と可動あご４とは固着具１２から離れるようにして回るようになる。
【００１８】
この時、固着具１２はスパナ１とともに回動することなく図３に示す締め付け停止位置で定置状態である。更に、スパナ１をＹ矢印方向に回せば、固定あご３の半円形状の挟持面と可動あご４の挟持面は固着具１２の周りにそって滑り、かつ、スパナ１の挟持空間１１は固着具１２から離れる状態となる。このような状態となるために、逃げ溝９、１０は、締め付け方向側がやや広い空間となっている。
【００１９】
連続してスパナ１をある角度、例えば、図２に示す最初の位置まで回せば、図４に示すように、固定あご３は角部１７を超え、かつ、可動あご４は角部１４を超えるので、その結果固着具１２は、固定あご３と可動あご４との挟持空間１１内に図２に示すと同じ状態で嵌まり込むことになる。
【００２０】
この状態でスパナ１を締め付け方向（Ｘ矢印方向）に回動させれば、固着具１２は続けて締め付けられることになる。従って、固定あご３と可動あご４は、固着具１２から取り外す必要がない。即ち、固着具１２自体は、締め付け停止位置で定置状態となっているので、スパナ１が締め付け方向とは逆方向に空転することになり、あたかもラチェットスパナのように連続した締め付け作業をすることができる。
【００２１】
以上は固着具１２を締め付ける場合であるが、締め付けてある固着具１２を取り外しあるいは緩める場合には、スパナ１は図２の状態から左右反転させればよい。即ち、固着具１２に対して固定あご３を左側にし、可動あご４を右側に位置させて固着具１２を反時計方向（Ｙ方向）に回動させればよい。この場合にでもスパナ１は空転させることができるので、スパナ１を固着具１２から外すことなく連続して取り外しあるいは緩める作業を行うことができる。
【００２２】
上記する実施形態によれば、固定あご３の長さＬ１は可動あご４よりも短くするとともに固着具１２の各横幅Ｌ２よりも短くしてあるので、固着具１２の辺Ｌ２が固定あご３よりも長い範囲で複数種類の大きさの固着具１２、例えば、１０ｍｍ〜１４ｍｍ、また、１４ｍｍ〜２３ｍｍの範囲内の固着具１２を締め付けたり、取り外しあるいは緩めることが可能であり、一台のスパナで複数種類の固着具１２に対応することができる。
【００２３】
【発明の効果】
以上、説明した本発明によれば、柄２の一端に突設した固定あご３に対して可動あご４を往復移動させて固着具１２を挟持し、固着具１２を締め付けあるいは取り外すに際し、固定あご３の長さＬ１を固着具１２の各辺の横幅Ｌ２よりも短く形成したので、固着具１２を締め付けあるいは取り外しの方向に回動させた後、固着具１２を固定あご３と可動あご４との挟持空間１１内に嵌め込んだ状態でスパナ１を逆方向に回せば、固定あご３と可動あご４とは固着具１２の周りを滑るように回動し、固定あご３と可動あご４は角部１４、１５を越えるので、挟持空間１１内に固着具１２は自然に収容され、固着具１２は続けて締め付けあるいは取り外し方向に回動させることができる。即ち、固着具１２は逆方向に回動することなく、スパナ１のみが逆方向に空転するので、連続して効率よく固着具１２を回すことができる。
【００２４】
固定あご３と掛止部７および可動あご４と掛止部８との間には固着具１２の角部が入り得る逃げ溝９、１０が形成してあり、更に、固定あご３の挟持面は半円形状としてあるので、スパナ１を逆方向に回転した時、固定あご３と可動あご４とは固着具１２から離れるようにして容易に空転が可能であり、ラチェット機能が発揮できるものである。
【図面の簡単な説明】
【図１】本発明スパナの一実施形態を示す正面図である。
【図２】固着具を固定あごと可動あごの間にへ嵌め入れ締め付け方向に回動させる状態を示す要部の正面図である。
【図３】固定状態の固着具に対してスパナを締め付け方向とは逆方向に空転させる状態を示す要部の正面図である。
【図４】スパナが空転し、固着具が固定あごと可動あごとの間に入る直前の状態を示す正面図である。
【図５】従来の開口スパナの一例を示す正面図である。
【図６】従来のモンキースパナの一例を示す正面図である。
【符号の説明】
１    スパナ
２    柄
３    固定あご
４    可動あご
５    ウォーム
６    ラック
７    掛止部
８    掛止部
９    逃げ溝
１０  逃げ溝
１１  挟持空間
１２  固着具
１２ａ  辺
１２ｂ  辺
１３  角部
１４  角部
１５  角部
１６  角部
１７  角部
【図１】
2004255473.tif 000003
【図２】
2004255473.tif 000004
【図３】
2004255473.tif 000005
【図４】
2004255473.tif 000006
【図５】
2004255473.tif 000007
【図６】
2004255473.tif 000008